(57)【特許請求の範囲】
【請求項１】
屋根体と、屋根体を支持して前後方向及び上下方向に所定間隔を置いて配設された横材を有する柱体と、少なくとも屋根体の外側に張設される膜体と、柱体の前後方向に隣接する横材間に着脱可能に架設される足場布板と、から構成したテント倉庫であって、前記柱体は、前後方向に所定間隔を置いて配列された柱骨と、これらを連結する連結骨とを備え、また、柱体を構成する前記柱骨は、左右の縦材と、これらを連結する上下方向に所定間隔を置いて配設された横材と、上下の横材間で左右の縦材を連結する上下一対のものから成る略横Ｖ字状に配列された斜材とを備えていると共に、柱体を構成する横材とこれの上側に位置する斜材の下端とは、所定距離だけ離間されており、当該所定距離は、横材に足場布板を上から装着する際に斜材が邪魔にならない程度の大きさにされている事を特徴とするテント倉庫。
【請求項２】
屋根体は、前後方向に所定間隔を置いて配設された梁材を備え、屋根体の前後方向に隣接する梁材間には、足場布板が着脱可能に架設される請求項１に記載のテント倉庫。
【請求項３】
柱体は、屋根体の左右両側と、通路を置いて左右方向の中程とに設けられている請求項１又は２に記載のテント倉庫。
【請求項４】
中程の柱体は、両側の柱体より前後方向の長さが小さくされて前後面のうち少なくとも一方の面との間に、通路と連通する連絡通路が形成されている請求項１〜３の何れかに記載のテント倉庫。
【請求項５】
屋根体を構成する梁材とその上側に位置する斜材の下端とは、所定距離だけ離間されており、当該所定距離は、梁材に足場布板を上から装着する際に斜材が邪魔にならない程度の大きさにされている請求項２〜４の何れかに記載のテント倉庫。
【発明の詳細な説明】
【技術分野】
【０００１】
本発明は、例えば物品を収納する為の物品棚を備えたテント倉庫に係り、とりわけ市販の足場布板を利用して物品棚を構成する様にしたテント倉庫の改良に関する。
【背景技術】
【０００２】
従来、この種のテント倉庫としては、例えば特許文献１や特許文献２に記載されたものが知られている。
これは、基本的には、上下方向ならびに横方向に複数の収納空間を形成した固定棚を、所定間隔を置いて一対並設し、両固定棚の上部間に亘ってアーチ枠体を設けるとともに、このアーチ枠体にテントを張設している。
而して、固定棚は、前後や左右において所定ピッチ置きに立設したトラス（支柱）と、前後のトラス間を連結する前後ビームならびにブレースと、左右のトラス間を連結する左右ビームと、前後の左右ビーム間を連結するサブビームなどにより枠組み状に構成されている。
【先行技術文献】
【特許文献】
【０００３】
【特許文献１】特開平７−１１７８２２号公報
【特許文献２】特開平８−２４６７１０号公報
【発明の概要】
【発明が解決しようとする課題】
【０００４】
ところが、この様なものは、固定棚の各棚が前後ビームや左右ビームやサブビームの様なビームのみで枠状に構成されていたので、比較的小さな物品をパレット等を用いずに直接収納する事ができないと共に、ビームに依り形成されている各棚がトラス（支柱）に固定されていたので、収納空間の高さを変える事ができず、収納空間より嵩高い物品を収納する事ができなかった。
【０００５】
本発明は、叙上の問題点に鑑み、これを解消する為に創案されたもので、その課題とする処は、比較的小さな物品でもパレット等を用いずに直接収納できると共に、嵩高い物品でも収納できる様にしたテント倉庫を提供するにある。
【課題を解決するための手段】
【０００６】
本発明のテント倉庫は、基本的には、屋根体と、屋根体を支持して前後方向及び上下方向に所定間隔を置いて配設された横材を有する柱体と、少なくとも屋根体の外側に張設される膜体と、柱体の前後方向に隣接する横材間に着脱可能に架設される足場布板と、から構成したテント倉庫であって、前記柱体は、前後方向に所定間隔を置いて配列された柱骨と、これらを連結する連結骨とを備え、また、柱体を構成する前記柱骨は、左右の縦材と、これらを連結する上下方向に所定間隔を置いて配設された横材と、上下の横材間で左右の縦材を連結する上下一対のものから成る略横Ｖ字状に配列された斜材とを備えていると共に、柱体を構成する横材とこれの上側に位置する斜材の下端とは、所定距離だけ離間されており、当該所定距離は、横材に足場布板を上から装着する際に斜材が邪魔にならない程度の大きさにされている事に特徴が存する。
【０００７】
柱体の前後方向及び上下方向に所定間隔を置いて配設された横材のうち、前後方向に隣接する横材間には、足場布板が着脱可能に架設される。足場布板は、市販されているものを棚板として利用し、この上に物品が置かれて収納される。
足場布板は、周知の如く、板状を呈するので、比較的小さな物品でも落ちる事なく載置する事ができると共に、柱体の横材に対して着脱可能に装着されるので、物品の高さに呼応して取付けたり取外したりする事に依り嵩高い物品でも収納する事ができる。
又、テント倉庫を組立てる際には、柱体に設けられる足場布板を文字通り足場として利用できるので、クレーン等を用いずに、屋根体の組立作業や膜体の張設作業等を容易且つ安全に行う事ができる。
【０００８】
屋根体は、前後方向に所定間隔毎に配設された梁材を備え、屋根体の前後方向に隣接する梁材間には、足場布板が着脱可能に架設されるのが好ましい。この様にすれば、屋根体にも物品棚を形成でき、それだけ物品の収納効率を向上する事ができる。
又、テント倉庫を組立てる際には、屋根体に設けられる足場布板を文字通り足場として利用できるので、膜体の張設作業等を容易且つ安全に行う事ができる。
【０００９】
柱体は、屋根体の左右両側と、通路を置いて左右方向の中程とに設けられているのが好ましい。この様にすれば、中程の柱体を利用して物品棚を形成できると共に、中程の柱体が存在する事に依りテント倉庫全体の強度の増大を図る事ができる。
【００１０】
中程の柱体は、両側の柱体より前後方向の長さが小さくされて前後面のうちの少なくとも一方の面との間に通路と連通する連絡通路が形成されているのが好ましい。この様にすれば、テント倉庫内には、通路と連絡通路が形成されるので、これらを利用して物品の移動が容易に行なえる。
【００１１】
屋根体を構成する梁材とこれの上側に位置する斜材の下端とは、所定距離だけ離間されており、当該所定距離は、梁材に足場布板を上から装着する際に斜材が邪魔にならない程度の大きさにされているのが好ましい。この様にすれば、梁材に対して足場布板を着脱する際に、斜材が邪魔になる事がない。
【００１２】
柱体を構成する横材とこれの上側に位置する斜材の下端とは、所定距離だけ離間されており、当該所定距離は、横材に足場布板を上から装着する際に斜材が邪魔にならない程度の大きさにされているのが好ましい。この様にすれば、横材に対して足場布板を着脱する際に、斜材が邪魔になる事がない。
【発明の効果】
【００１３】
本発明に依れば、次の様な優れた効果を奏する事ができる。
（１）  屋根体、柱体、膜体、足場布板とで構成し、とりわけ、屋根体を支持して前後方向及び上下方向に所定間隔を置いて配設された横材を有する柱体と、柱体の前後方向に隣接する横材間に着脱可能に架設される足場布板とを備えているので、比較的小さな物品でもパレット等を用いずに直接収納する事ができると共に、嵩高い物品でも収納する事ができる。
（２）  足場布板は、市販されているものを利用する事ができるので、コストの低減を図る事ができる。
【図面の簡単な説明】
【００１４】
【図１】本発明の第一例に係るテント倉庫を示す正面図。
【図２】図１の側面図。
【図３】図１の縦断側面図。
【図４】図１の横断平面図。
【図５】図１の要部のみを示す分解斜視図。
【図６】本発明の第二例に係るテント倉庫を示す正面図。
【発明を実施するための形態】
【００１５】
以下、本発明の実施の形態を、図面に基づいて説明する。
図１乃至図５は、本発明の第一例を示していると共に、図６は、本発明の第二例を示している。尚、以下の説明に於て、左右方向とは、テント倉庫１の幅方向（図１に於て左右方向）を言い、前後方向とは、テント倉庫１の奥行方向（図２に於て左右方向）を言う事にする。
【００１６】
図１乃至図５に於て、テント倉庫１は、屋根体２、柱体３、膜体４、足場布板５とからその主要部が構成されている。
テント倉庫１は、接地面Ａに設置されて屋根体２及び柱体３から成るテントフレームと、これの外側に張られる膜体（テントシート）４とから構成されている。
接地面Ａは、コンクリートやアスファルト等で舗装されて比較的強硬で平滑にされている。
【００１７】
屋根体２は、テント倉庫１の基本部分を為すもので、この例では、前後方向に所定間隔を置いて適数（四つ）だけ配列された屋根骨６と、これらを連結する適数の連結骨７とから成っている。
屋根骨６は、上突弧状の弧状材８と、これらの両端を連結する梁材（下弦材）９と、弧状材８と梁材９との間を連結する適数の縦材１０及び斜材１１とを備えている。
連結骨７は、前後方向の桁材１２やＸ状にした筋交材１３等を備えている。
屋根体２を構成する梁材９とこれの上側に位置する斜材１１の下端とは、所定距離Ｂだけ離間されている。所定距離Ｂは、梁材９に足場布板５を上から装着する際に斜材１１が邪魔にならない程度の大きさにされている。
弧状材８や縦材１０や桁材１２や筋交材１３は、丸管に依り作製されていると共に、梁材９は、角管に依り作製されている。
【００１８】
柱体３は、屋根体２を支持して前後方向及び上下方向に所定間隔を置いて配設された横材１４を有するもので、この例では、屋根体２の下側にこれに対して着脱可能に設けられて居り、前後方向に所定間隔を置いて適数（四つ）だけ配列された柱骨１５と、これらを連結する適数の連結骨１６とを備えている。柱体３の各柱骨１５の間隔は、屋根体２の各屋根骨６の間隔と同様にしてある。
柱骨１５は、左右の縦材１７と、これらを連結する上下方向に所定間隔を置いて配設された適数の横材１４とを備えている。
連結骨１６は、前後方向の桁材１８やＸ状にされた筋交材１９等を備えている。
縦材１７や桁材１８や筋交材１９は、丸管に依り作製されていると共に、横材１４は、最上位のものが角管でそれ以外のものが丸管に依り作製されている。
【００１９】
柱体３の下部には、接地面Ａに接地されて高さ調整する為の座体２０が設けられている。
座体２０は、この例では、スクリュベース（ジャッキベース）にしてあり、柱体３の柱骨１５を構成する縦材１７の下部に設けられて居り、平面略正方形で板状を呈する座板２１と、これに植設されて上部が柱骨１５の縦材１７に着脱可能に挿入される螺子棒２２と、これに螺合されて柱骨１５の縦材１７の下面に当合されるハンドルナット２３と、柱骨１５の縦材１７に螺設されて螺子棒２２を抜止めする抜止ボルト（図示せず）とを備えている。
【００２０】
而して、柱体３は、屋根体２の左右両側と、通路２４を置いて左右中程との合計三つ設けられている。中程の柱体３は、両側の柱体３より前後方向の長さが小さくされて前後面のうちの少なくとも一方の面（図４では後面）との間に、通路２４と連通する連絡通路２５が形成されている。
【００２１】
膜体（テントシート）４は、少なくとも屋根体２の外側に張設されるもので、この例では、鎖線で示す如く、屋根体２と、隣接する柱体３間の前側に形成される出入口２６を除いた柱体３の外側を覆う様に設けられている。出入口２６には、図４の鎖線で示す如く、伸縮式や折畳式の開閉可能な扉２７が設けられる。
【００２２】
足場布板５は、柱体３の前後方向に隣接する横材１４間に着脱可能に架設されるもので、この例では、長手方向に長尺な四枠状の枠体２８と、これの内側に設けられた踏面板２９と、枠体の長手方向の両側に左右一対設けられた掛止手段（つかみ金具）３０とから成って居り、長さが同じで幅が異なる二種類の市販されているものを用いている。
例えば呼び寸法（ｍｍ）がＷ（幅）２４０×Ｌ（長さ）１８２９と、Ｗ５００×Ｌ１８２９との二種類や、呼び寸法（ｍｍ）がＷ２４０×Ｌ１５２４と、Ｗ５００×Ｌ１５２４との二種類が用いられる。
而して、柱体３の各横材１４の左右方向の長さは、足場布板５の幅に呼応させて設定されていると共に、柱体３の隣接する横材１４間の間隔は、足場布板５の長さに呼応させて設定されている。
【００２３】
次に、この様な構成に基づいてその作用を述解する。
柱体３の前後方向及び上下方向に所定間隔を置いて配設された横材１４のうち、前後方向に隣接する横材１４間には、足場布板５が掛止手段３０に依り着脱可能に架設される。足場布板５は、市販されているものを棚板として利用され、この上に物品が置かれて収納される。
【００２４】
足場布板５は、周知の如く、板状を呈するので、比較的小さな物品でも落ちる事なく載置する事ができると共に、柱体３の横材１４に対して着脱可能に装着されるので、物品の高さに呼応して取付けたり取外したりする事に依り嵩高い物品でも収納する事ができる。
又、テント倉庫１を組立てる際には、柱体３に設けられる足場布板５を文字通り足場として利用できるので、クレーン等を用いずに、屋根体２の組立作業や膜体４の張設作業等を容易且つ安全に行う事ができる。
【００２５】
柱体３は、屋根体２の左右両側と、通路２４を置いて左右方向の中程とに設けられているので、この中程の柱体３も、両側の柱体３と同様に、隣接する横材１４間に足場布板５を着脱可能に装着する事ができる。その結果、中程の柱体３を利用して物品棚を形成できると共に、中程の柱体３が存在する事に依りテント倉庫１全体の強度の増大を図る事ができる。
【００２６】
図４に示す如く、中程の柱体３は、両側の柱体３より前後方向の長さが小さくされる事に依り後面との間には、通路２４と連通する連絡通路２５が形成され、所謂テント倉庫１内には、通路２４と連絡通路２５が形成されるので、これらを利用して物品の移動が容易に行なえる。
【００２７】
次に、本発明の第二例を、図６に基づいて説明する。
第二例は、柱体３を構成する柱骨１５を第一例とは異ならせたものである。
つまり、柱体３を構成する柱骨１５は、左右の縦材１７と、これらを連結する上下方向に所定間隔を置いて配設された適数の横材１４と、上下の横材１４間で左右の縦材１７を連結する適数の斜材３１とを備えている。斜材３１は、上下一対のものから成り、略横Ｖ字状に配列されている。
柱体３を構成する横材１４とこれの上側に位置する斜材３１の下端とは、所定距離Ｂだけ離間されている。所定距離Ｂは、横材１４に足場布板５を上から装着する際に斜材３１が邪魔にならない程度の大きさにされている。
而して、第二例では、屋根体２を構成する梁材９にも足場布板５を架設している。この様にすれば、屋根体２にも物品棚を形成でき、それだけ物品の収納効率を向上する事ができる。
【００２８】
尚、屋根体２の各屋根骨６の間隔と柱体３の各柱骨１５の間隔は、先の例では、同じにしたが、これに限らず、例えば異なる様にしても良い。
柱体３は、先の例では、左右両側と左右中程の三つであったが、これに限らず、例えば中程の柱体３を割愛して二つにしたり、中程の柱体３を複数にして四つ以上にしても良い。
柱体３は、先の例では、両側ものより中程のものの前後方向の長さを小さくして連絡通路２５を形成したが、これに限らず、例えば前後方向の長さを全て同じにしても良い。この様にすれば、連絡通路２５が割愛されるものの、物品棚を多く形成する事ができる。
【符号の説明】
【００２９】
１…テント倉庫、２…屋根体、３…柱体、４…膜体、５…足場布板、６…屋根骨、７…連結骨、８…弧状材、９…梁材、１０…縦材、１１…斜材、１２…桁材、１３…筋交材、１４…横材、１５…柱骨、１６…連結骨、１７…縦材、１８…桁材、１９…筋交材、２０…座体、２１…座板、２２…螺子棒、２３…ハンドルナット、２４…通路、２５…連絡通路、２６…出入口、２７…扉、２８…枠体、２９…踏面板、３０…掛止手段、３１…斜材、Ａ…接地面、Ｂ…所定距離。
【図１】
0005437164.tif 000002
【図２】
0005437164.tif 000003
【図３】
0005437164.tif 000004
【図４】
0005437164.tif 000005
【図５】
0005437164.tif 000006
【図６】
0005437164.tif 000007